(57)【要約】【課題】防寒として体の冷える部分に応じて多用途に使用でき、装着する体の各部分にフィットしてずれにくい性質を有する、ファッション的要素を備えた多目的ニット製品を提供する。【解決手段】両端が開口した無底筒状のニット製品であって、開口端部間の長手方向の長さを装着者の腹部が隠れる程度の長さに形成するとともに、同一の目数でありながら編み目が密なハイゲージ部２とこれよりも編み目が粗いローゲージ部３とを有しており、前記ハイゲージ部２を前記いずれか一方の開口端部に編成する。【選択図】    図１
0003118840.tif 000002
【実用新案登録請求の範囲】
【請求項１】
両端が開口した無底筒状のニット製品であって、開口端部間の長手方向の長さを装着者の腹部が隠れる程度の長さに形成するとともに、同一の目数でありながら編み目が密なハイゲージ部とこれよりも編み目が粗いローゲージ部とを有しており、前記ハイゲージ部を前記いずれか一方の開口端部に編成したことを特徴とする多目的ニット製品。
【請求項２】
両端を開口した無底筒状のニット製品であって、開口端部間の長手方向の長さを装着者の胸から腰が隠れる程度の長さに形成するとともに、同一の目数でありながら編み目が密なハイゲージ部とこれよりも編み目が粗いローゲージ部とを有しており、胴体に装着する場合に前記ハイゲージ部が装着者のウエスト部分に位置するように長手方向の中央から一端部側に位置をずらして編成したことを特徴とする多目的ニット製品。
【請求項３】
請求項１または請求項２において、前記無底筒状に編成した開口縁部に結い紐を取り付けるとともに、この結い紐を挿通するための複数のループを前記開口縁部に沿って設けたことを特徴とする多目的ニット製品。
【請求項４】
請求項１から請求項３のいずれかにおいて、前記無底筒状に編成した開口端部から長手方向に沿ってスリットを形成し、このスリットに沿ってファスナーやボタン等の接合手段を取り付け、この接合手段を接合することによって筒状に構成したことを特徴とする多目的ニット製品。
【請求項５】
請求項１から請求項３のいずれかにおいて、前記ニット製品を略長方形に編成するとともに、左右両端部にファスナーやボタン等の接合手段を取り付け、この接合手段を接合することによって無底筒状に構成したことを特徴とする多目的ニット製品。
【考案の詳細な説明】
【技術分野】
【０００１】
本考案は、ニット製品に関し、特に、装着する体の各部分にフィットするように編成され、帽子、襟巻、チューブトップ、キャミソール、腹巻、ストール、膝掛等に適宜使用可能な多目的ニット製品に関するものである。
【背景技術】
【０００２】
従来より、頭部や首周り、腹部、膝等を保温するニット製品として、帽子、襟巻、腹巻、膝掛等がある。これらの製品は、それぞれ単独の用途を備えており、違う用途に利用できるようには作られていないのが一般的である。レジャーやスポーツ観戦、移動等で屋外にいたり、仕事等でクーラーの効いた室内にいたり、場所や状況により体の冷える部分は異なる。特に旅行などで、様々な気候の変化に備える必要がある場合、上記すべての防寒具を持ち歩くと荷物が多くなりかさばってしまうし、使用するときには探すのに手間取ってしまう。かといって、どれか一つを選んで持って行っても、保温したい部分と異なることもしばしばである。
【０００３】
他方、腹部や腰部の冷えを防ぐためのニット製品として腹巻が知られているが、この腹巻は胴体に対してきつめに編まれており、幅や長さが一定の大きさであって、装着者の体の腹部と腰部の太さの違いを考慮した作りになっていない。このため、装着者によっては過度に締め付けられたり、ずれが生じるなどの問題がある。また、腹巻はファッション的要素に乏しく、子供や年配の方々が下着として装着したり、就寝時に寝冷えを防止するために使用するイメージが強い。
【０００４】
上記の問題のうち保温用のニット製品が単独の用途しか持たないという問題を解決するために、実用新案登録第３１０５９７８号公報には、帽子、イヤーバンド、およびネックウォーマーの三種類の使い分けのできる保温用衣料品が提案されている（特許文献１）。
【０００５】
【特許文献１】実用新案登録第３１０５９７８号公報
【考案の開示】
【考案が解決しようとする課題】
【０００６】
しかしながら、実用新案登録第３１０５９７８号に係る保温用衣料品は、頭部と首部以外に使用できないため適用範囲が少ない。また、帽子として使用する際には頭の先端側が袋状になっていないために放熱され易く保温効率が悪い。さらにネックウォーマーとして使用する際には首部分のみを保温する程度であって、肩部分までの広い範囲を保温することができない。
【０００７】
また、仮に頭部と首部以外にも使用できるとして適用範囲を広げたとしても、前記考案では筒状部分の周囲が一定の大きさに編成されているため、胸部から腰部に装着の際には過度に締め付けられたり、逆に緩くてずれてしまうなどの問題は依然として解消していない。
【０００８】
一方、最近ではデザインに工夫を凝らしたニット製腹巻も提案されてきているが、優れた多機能性と洗練されたデザイン性とを兼ね備えたニット製品は提案されていない。
【０００９】
本考案は、上記問題を解決するためになされたものであり、優れた多機能性と洗練されたデザイン性を兼ね備え、頭部を保温する帽子、首部から肩まで保温できる襟巻、胸部や腹部、腰部を保温する肩ひものない筒状の上衣であるチューブトップや肩ひものついたキャミソール、腹巻、さらには腰部から膝、脚部を保温する膝掛等、体の冷える部分に応じて防寒するために適宜選択的に使い分けることができ、装着する体の各部分にもフィットしてずれにくく、おしゃれに楽しく防寒できる多目的ニット製品を提供することを目的としている。
【課題を解決するための手段】
【００１０】
本考案の請求項１に係る多目的ニット製品の特徴は、両端が開口した無底筒状のニット製品であって、開口端部間の長手方向の長さを装着者の腹部が隠れる程度の長さに形成するとともに、同一の目数でありながら編み目が密なハイゲージ部とこれよりも編み目が粗いローゲージ部とを有しており、前記ハイゲージ部を前記いずれか一方の開口端部に編成した点にある。
【００１１】
ここでゲージとは、一定の面積内での目数と段数により示される編み目の密度をいう。そして、前述の構成を採用したことにより、帽子、襟巻、チューブトップやキャミソール、腹巻として使用した場合にも、ハイゲージ部をそれぞれ装着者の首やウエスト部分等に位置するように装着すれば、各部分にフィットしてずれにくく格段に装着性がよくなる。また、ハイゲージ部とローゲージ部の境界線は外観上目立たずデザイン性にも優れたものとなる。
【００１２】
そして、本考案の請求項２に係る多目的ニット製品の特徴は、両端を開口した無底筒状のニット製品であって、開口端部間の長手方向の長さを装着者の胸から腰が隠れる程度の長さに形成するとともに、同一の目数でありながら編み目が密なハイゲージ部とこれよりも編み目が粗いローゲージ部とを有しており、胴体に装着する場合に前記ハイゲージ部が装着者のウエスト部分に位置するように長手方向の中央から一端部側に位置をずらして編成した点にある。このような構成を採用したことにより、腹部や胸部だけでなく腰部までの広領域を温めることができる。
【００１３】
さらに、本考案の多目的ニット製品は、請求項１または請求項２において、前記無底筒状に編成した開口縁部に結い紐を取り付けるとともに、この結い紐を挿通するための複数のループを前記開口縁部に沿って設けたことを特徴とする。このような構成を採用したことにより、ループに結い紐を挿通させ、挿通させた結い紐を肩紐として利用してキャミソールにしたり、挿通させた結い紐を絞って袋状にして帽子にすることができる。
【００１４】
また、本考案の多目的ニット製品は、前記無底筒状に編成した開口端部から長手方向に沿ってスリットを形成し、このスリットに沿ってファスナーやボタン等の接合手段を取り付け、この接合手段を接合することによって筒状に構成したことを特徴とする。このような構成を採用したことにより、襟巻として使用する場合に、襟の一部を開くことができるため温度調節が可能となり、また襟の形を変えることができ、例えばセーラーカラーのようにすることができる。
【００１５】
さらに、本考案の多目的ニット製品は、前記ニット製品を略長方形に編成するとともに、左右両端部にファスナーやボタン等の接合手段を取り付け、この接合手段を接合することによって無底筒状に構成したことを特徴とする。このような構成を採用したことにより、筒状のニット製品の一部ないし全部を縦方向に開けることができるため、襟巻として使用する場合には、襟の一部を開くことができ温度調節が可能となる。また、セーラーカラーのようにして襟の形を変えたり、全部を開いてストールにしたり、全部を開いてさらに上端部を前記ループと結い紐で留めて頭巾として使用することができる。
【考案の効果】
【００１６】
本考案によれば、腹部や腰部を温めることはもちろん、装着する体の各部分にフィットしてずれにくく、デザイン性にも優れており、帽子、襟巻、チューブトップやキャミソール、腹巻、膝掛等、一つで何役もの防寒具の役割を果たすことができるため、場面や場所を問わずおしゃれに楽しく防寒することができる。
【００１７】
また、特定の毛糸・編み方・ゲージでなくとも機能性に変わりないため、糸の太さや編み棒の太さを変えて編成することにより、体の大きさに合わせてサイズを調節することができる。
【考案を実施するための最良の形態】
【００１８】
以下、本考案に係る多目的ニット製品の実施形態について図面を用いて説明する。    
【００１９】
図１、図７、図９、図１１および図１３は、本考案の実施形態１における多目的ニット製品１ａを示す斜視図である。図２は図１におけるハイゲージ部２とローゲージ部３の部分拡大図である。図３〜図６、図８、図１０、図１２および図１４はそれぞれ、図１、図７、図９、図１１および図１３に示す第１実施形態における多目的ニット製品１ａの使用例である。図１５および図２１は、本考案の実施形態２における多目的ニット製品１ｂを示す斜視図である。図１６〜図２０および図２２はそれぞれ、図１５および図２１に示す第２実施形態における多目的ニット製品１ｂの使用例である。
【００２０】
まず、本第１実施形態である多目的ニット製品１ａについて説明する。図１および図２に示すように、多目的ニット製品１ａは、全体が伸縮性に富んだゴム編みで上下の両端が開口された無底筒状に編まれている。両端部までの長手方向の長さは装着者の腹部が隠れる程度の長さに形成されている。また、多目的ニット製品１ａの上方側端部には、編み目が密なハイゲージ部２が所定の長さ分だけ編成されており、これより下側には同一の目数でありながら前記ハイゲージ部２に比べて編み目の粗いローゲージ部３が編成されている。なお、ここでいうゲージとは、編み目の粗密を示す尺度であって、一定面積（一般的には１０ｃｍ２）内での目数と段数によって特定される。本実施形態におけるハイゲージ部２およびローゲージ部３は筒状の円周方向全体にわたって編成されているが、本発明の効果を奏する範囲内であれば、例えばハイゲージ部２を円周方向に間隔を隔てて編成したり（ローゲージ部３と交互に編成したり）、円周方向の半分だけに編成するなど、部分的に編成するようにしてもよい。
【００２１】
ここで多目的ニット製品１ａの具体的な寸法の一例を示せば、平均的な成人女性用では、極太糸を使用する場合、ハイゲージ部２とローゲージ部３の筒周りの目数を同一の１６４目にしてゲージを変える、つまり、ハイゲージ部２は４号棒針を使用してゲージを１０ｃｍ２あたり３８目３５段とし、ローゲージ部３は６号棒針を使用してゲージを１０ｃｍ２あたり３３目２８段とするのがよい。そして、多目的ニット製品１ａの全体寸法は、前記ゲージに基づいて、ハイゲージ部２の筒周りを１６４目４３ｃｍ、高さを２１段６ｃｍとし、ローゲージ部３の筒周りを１６４目４９ｃｍ、高さを６５段２３．５ｃｍとすれば、帽子としてだぶついた大きさにならず、襟巻や腹巻、キャミソールとして首や胴にフィットする製品として利用できる。
【００２２】
つぎに、本第１実施形態の多目的ニット製品１ａの各目的に応じた使用例について図３〜図６、図８、図１０、図１２および図１４を参照して説明する。
【００２３】
『襟巻としての使用』
図３に示すように、多目的ニット製品１ａを襟巻として使用する場合は、ハイゲージ部２を外側に折り返して、ローゲージ部３が肩側に位置するように頭からかぶり、タートルネック状の襟巻として装着する。ハイゲージ部２の折り返しは、首の長さに応じて図３中の（ａ）のように二つ折りにしてもよいし、（ｂ）のように一つ折りにしてもよい。このように襟巻として使用する場合、ハイゲージ部２が細い首側にフィットするとともにローゲージ部３が広い肩側にフィットするため、襟巻としての保温性と装着性に優れている。
【００２４】
『チューブトップとしての使用』
図４に示すように、多目的ニット製品１ａをチューブトップとして使用する場合は、ハイゲージ部２を下にして、ハイゲージ部２をウエスト部分にあて、ローゲージ部３を胸部分にあてるように装着する。このようにチューブトップとして使用する場合、ハイゲージ部２がウエストのくびれ部分にフィットし、ローゲージ部３が胸部の膨らみにフィットするため、外観上も美しいし、装着者の動きに対してずれにくくて装着性と保温性に優れている。
【００２５】
『腹巻としての使用』
図５に示すように、多目的ニット製品１ａを腹巻として使用する場合は、ハイゲージ部２を上にして、ハイゲージ部２をウエスト部分にあて、ローゲージ部３を腰部から臀部にかけてあてるように装着する。このように腹巻として使用する場合、ハイゲージ部２がウエストのくびれ部分にフィットし、ローゲージ部３が腰部から臀部の膨らみにフィットするため、見た目もすっきり美しく、安定した装着感があり、また所望の位置での保温性にも優れている。
【００２６】
『レッグウォーマーとしての使用』
図６に示すように、多目的ニット製品１ａを座っているときのレッグウォーマーとして使用する場合は、ハイゲージ部２を上にして、筒状内部に両脚を入れて、膝下部分に位置するように装着する。このようにレッグウォーマーとして使用する場合、膝下の細い部分にハイゲージ部２がフィットし、ローゲージ部３がふくらはぎから足の甲付近までに装着されるため、好適な装着性と保温性とを担保できる。
【００２７】
『帽子としての使用』
また、多目的ニット製品１ａを帽子として使用する場合は、ローゲージ部３側から頭部にかぶり、ハイゲージ部２を頂部側で窄めて装着する。この場合、図７に示すように、ハイゲージ部２の開口縁部に２本の長い結い紐４を編み込んでおき、この結い紐４を挿通するための鎖編みされた複数のループ５を開口縁部に沿って所定の間隔を隔てて形成するとよい。そして、ハイゲージ部２の開口縁部に設けられた２本の結い紐４を、開口縁部に沿って設けられた複数のループ５に左右から通し、前記結い紐４を引っ張って開口部を窄めて結び、袋状に変形させる。これをローゲージ部３側からかぶればよい。図８では、結い紐４およびループ５が窄めた頂部内に収納された状態を示しているが、より長い結い紐４を装着して結び目を外側に垂らすデザインにしてもよい。
【００２８】
なお、本第１実施形態では、結い紐４とループ５を開口端部に取り付けて帽子としての機能を高めているが、これに限る必要はなく、結い紐４とループ５を取り付けずに、例えばハイゲージ部２のゲージを少しきつく編成することによって頂部側を窄める効果をあげるようにしてもよい。
【００２９】
また、頭部に装着する場合、図８中の（ａ）および（ｂ）に示すように、ローゲージ部３の開口縁部の筒周り全部を外側に折り返してもよいし、（ｃ）に示すように、ローゲージ部３の開口縁部の筒周り後部のみを外側に折り返し、前部をつばのように形成してもよい。このように帽子として使用する場合、ハイゲージ部２を頂部側に配置されるため、頭へのフィット感がよい。また、結い紐４とループ５とによって頂部を閉じることができるため、保温性にも優れている。
【００３０】
『キャミソールとしての使用』
また、図９に示すように、多目的ニット製品１ａをキャミソールとして使用する場合、結い紐４およびループ５をハイゲージ部２ではなく、ローゲージ部３の開口縁部に沿って編成すればよい。この場合、２本の結い紐４はより長いものが採用されており、ループ５は所定の間隔で４つ設けられている。そして、図１０に示すように、ハイゲージ部２をウエストのくびれ部分にあて、ローゲージ部３を胸の膨らみ部分にあてるように装着する。さらに背中側のループ５に２本の結い紐４をそれぞれ通し、肩から胸側に持ってきて胸側のループ５に通して結合すれば、肩紐として機能させられる。このとき胸側のループ５に代えて結い紐４を結着しておいてもよい。このような構成によって、ウエストと胸部にフィットし、装着性および保温性に優れたキャミソールとして使用することができる。
【００３１】
『襟付き襟巻としての使用』
また、本第１実施形態の多目的ニット製品１ａを襟付き襟巻として機能させる場合について説明する。この場合、図１１に示すように、多目的製品１ａは、ハイゲージ部２の開口端部から長手方向に沿ってスリットが形成されており、そのスリットには接合手段６であるファスナー７が取り付けられている。そして、実際に使用する場合には、図１２に示すように、ハイゲージ部２を顔側にし、ローゲージ部３を肩側に位置するようにして、前記ファスナー７を好みに応じて適当な長さに開いて装着する。
【００３２】
『膝掛・ストールとしての使用』
また、本第１実施形態の多目的ニット製品１ａを膝掛やストールとして機能させる場合について説明する。この場合、図１３に示すように、多目的ニット製品１ａは、一枚の略長方形状に編成されており、この略長方形状の長手方向の左右両端部分にボタン８およびボタン穴９等の接合手段６が設けられている。ボタン８をボタン穴９にかけることによって任意に無底筒状に編成され得る。そして、膝掛として使用する場合、左右両端部に取り付けられた接合手段６であるボタン８を外して展開し、図１４（ａ）に示すように、２つ折りにして膝の上にかけてもよいし、（ｂ）に示すように、略長方形の長手方向を膝上部から膝下部が隠れるように使用してもよい。また、ストールとして使用する場合は、略長方形状に展開した状態で肩に羽織って着用すればよい。この場合、適宜、ボタンを掛けてもよい。
【００３３】
つぎに、本発明に係る第２実施形態の多目的ニット製品１ｂについて説明する。なお、本第２実施形態の構成のうち、前述した第１実施形態で説明した構成と同等または相当する構成は同一の符号を付して再度の説明を省略する。
【００３４】
図１５に示すように、本第２実施形態の多目的ニット製品１ｂは、第１実施形態における多目的ニット製品１ａと同様に、ハイゲージ部２とローゲージ部３が設けられているが、開口端部間の長さが第１実施形態よりも長く、装着者の胸部から腰部までが隠れる程度に形成されている。また、ハイゲージ部２が装着者のウエスト部分に位置するように長手方向の中央から一方側（上方側）に寄せられており、第１ローゲージ部３および第２ローゲージ部３ａが形成されている。
【００３５】
多目的ニット製品１ｂの具体的な寸法の一例を示すと、平均的な成人女性では、並太糸を使用する場合、ハイゲージ部２、第１ローゲージ部３および第２ローゲージ部３ａの筒周りを同一の１５０目にし、ゲージを変える。つまり、ハイゲージ部２は５号棒針を使用してゲージを１０ｃｍ２あたり３８目３２段、第１ローゲージ部３および第２ローゲージ部３ａは６号棒針を使用してゲージを１０ｃｍ２あたり２９目２８段とするのが好ましい。そして、多目的ニット製品１ｂの全体寸法は、前記ゲージに基づいて、ハイゲージ部２の筒周りを１５０目３９ｃｍ、高さを３０段９．５ｃｍとし、第１ローゲージ部３の筒周りを１５０目５２ｃｍ、高さを７０段２５ｃｍとし、第２ローゲージ部３ａの筒周りを１５０目５２ｃｍ、高さを３５段１２．５ｃｍにするのがよい。
【００３６】
つぎに、本第２実施形態の多目的ニット製品１ｂの使用例について、図１６〜図２０および図２２を参照して説明する。
【００３７】
『帽子としての使用』
図１６に示すように、多目的ニット製品１ｂを帽子として使用する場合は、第２ローゲージ部３ａの開口縁部をハイゲージ部２が端になるように内側に折り込み、一方、第１ローゲージ部３の開口縁部を外側に折り、ハイゲージ部２が頂点になるようにして頭部に装着する。また、第１ローゲージ部３の開口縁部の折り返しは、図１６中の（ａ）のようにローゲージ部３の開口縁部を一度折り返した状態にしてもよく、あるいは（ｂ）のように一度折り返してさらに後部を外側に折り返し、前部をつばのように形成してもよい。
【００３８】
このような構成によれば、編み目をきつくしたハイゲージ部２を頭部にあてることができるのでフィット感を高められるとともに、充分な保温性を確保することもできる。また、帽子のつばやトップ部分のデザインを柔軟に変えられるため、洋服に合わせてあるいは気分に応じて様々にデザインを変えられる帽子として楽しむことができる。なお、第２ローゲージ部３ａの開口端部を内側に折り返さずに開口させたまま長く垂らして使用してもよい。この場合の保温性については、本第２実施形態の多目的ニット製品１ｂが長尺状に形成していることもあり、充分に確保することができる。
【００３９】
『チューブトップとしての使用』
図１７に示すように、多目的ニット製品１ｂをチューブトップとして使用する場合は、ハイゲージ部２をウエスト部分に、第２ローゲージ部３ａを胸部分に、第１ローゲージ部３を腰部分に位置するように胸から腰が隠れるように装着する。このような構成により、ウエストのくびれ部分にハイゲージ部２をあて、胸部の膨らんだ部分に第１ローゲージ部３、腰部の膨らんだ部分に第２ローゲージ部３ａをあてることができるため、胸から腰にかけての広い範囲での保温性を確保することができるとともに、体型を考慮してフィット感を高めてズレ落ちを防止することができる。
【００４０】
『腹巻としての使用』
図１８に示すように、多目的ニット製品１ｂを腹巻として使用する場合は、ハイゲージ部２をウエスト部分に位置するように装着し、第１ローゲージ部３ないし第２ローゲージ部３ａをハイゲージ部２にかぶせるように折り重ねて装着する。第１ローゲージ部３ないし第２ローゲージ部３ａの折り返しは、図１８中の（ａ）に示すように上側に位置する第２ローゲージ部３ａをハイゲージ部２にかぶせるように折り返してもよい。また、（ｂ）に示すように、さらに下側に位置する第１ローゲージ部３を折り返してもよい。このように二重に折り返した場合には、折り返しの重なり部分に小物や貴重品等を入れてポケットのように使用することもできる。このような構成によれば、冷えやすい腹部を中心に保温性を高めることが可能であるし、服装に応じて胸部や腰部には装着しないように折り返すこともできる。
【００４１】
『レッグウォーマーとしての使用』
図１９に示すように、多目的ニット製品１ｂをレッグウォーマーとして使用する場合は、筒状内部に両脚を入れて、膝上から足元部分に位置するように装着する。このような構成によれば、ふくらはぎ付近にハイゲージ部２をあてて装着し、膝上から足元までの広い範囲を保温することができる。
【００４２】
『アームウォーマーとしての使用』
図２０に示すように、多目的ニット製品１ｂをアームウォーマーとして使用する場合には、筒状内部に両手肘下部分を入れて、指先から肘に位置するように装着する。このような構成によれば、両端開口部からそれぞれ筒状内に両手を挿入して肘まで保温できるため、手袋に比べて広い範囲を保温することが可能であり、野外スポーツ観戦時等における手の保温に便利である。
【００４３】
『キャミソールとしての使用』
また、本第２実施形態の多目的ニット製品１ｂをキャミソールとして使用する場合は、図２１に示すように、第２ローゲージ部３ａの開口縁部に２本の長い結い紐４を編み込んでおき、この結い紐４を挿通するための鎖編みされた複数のループ５を開口縁部に沿って所定の間隔を隔てて形成するとよい。本第２実施形態では、結い紐４が編み込まれた背中側の縁部にループ５を一つ設け、胸側の開口縁部にループ５を２つ設けるようにしている。そして、図２２に示すように、第２ローゲージ部３ａの開口縁部に設けられた２本の結い紐４を、背中側のループ５に通してから胸側のループ５に通して結ぶことにより、結い紐４に肩紐としての機能を持たせ、ハイゲージ部２をウエスト部分に、第２ローゲージ部３ａを胸部分に、第１ローゲージ部３を腰部分に位置するように装着して、良好な装着感と保温性を兼備させることができる。
【００４４】
『その他』
その他、例えば、膝掛として編成した多目的ニット製品１ａについて、ハイゲージ部２の開口縁部に結い紐４と複数のループ５を設け、前記結い紐４をすべてのループ５に通し、結い紐４を引っ張って開口部を窄めて結んで固定することにより、保温用、防災用の頭巾として頭部に装着することもできる。
【００４５】
なお、本考案に係る多目的ニット製品は、前述した使用例に限定されるものではなく、適宜変更することができる。
【００４６】
例えば、第１実施形態および第２実施形態における多目的ニット製品１ａ，１ｂは、伸縮性に富んだゴム編みを採用しているが、筒周りの長さが伸び縮みできるような伸縮性のある編み方であれば任意に選んでよい。また、糸の素材に制限はなく、毛、綿、絹、人絹、ポリウレタン糸等の合成繊維などを任意に用いてよい。さらに、着用する人の大きさに合わせて、使用する毛糸の太さや針の号数、目数、段数、ゲージを適宜変更して筒周りや長さを変えることができる。
【００４７】
また、結い紐４およびループ５を設ける位置は、片側の開口縁部に限らず、両側に設けてもよい。そして、それらの結い紐４と複数のループ５を使用しないときには、結い紐４を複数のループ５に順番に通し、結い紐４をリボン状に結んで飾りとして利用してもよいし、結い紐４を外から見えないように内側に入れて隠した状態で使用してもよい。
【００４８】
また、接合手段６はファスナー７やボタン８、面ファスナー等を任意に選んでよいし、本発明の効果を奏する限りそのような接合手段６を設けなくてもよい。
【００４９】
さらに、第２実施形態の多目的ニット製品１ｂについても、第２ローゲージ部３ａにスリットを形成して接合手段６を取り付けてもよいし、略長方形状に展開可能に編成して接合手段６によって筒状に構成してもよい。
【００５０】
また、本実施形態の多目的ニット製品１ａ，１ｂを２枚の略長方形に分割可能に編成し、変形させて２つの無底筒状にしてレッグウォーマーとしての機能を高めてもよい。例えば、脚のふくらはぎの寸法に合わせた２枚の略長方形状ニット製品を編成し、それらニット製品の左右両端にファスナー等の接合手段６を取り付けておく。そして、帽子や腹巻等として使用する場合には、２枚の略長方形状ニット製品を相互に接合して一つの筒状のニット製品１ａまたは１ｂを構成して前述したような態様で使用する。各脚に装着するレッグウォーマーとして使用する場合には、２枚に分割した略長方形のニット製品を各々の接合手段６で接合して２つの筒状のニット製品にして、ふくらはぎに嵌めて上側を折り返すなどして装着すればよい。
【図面の簡単な説明】
【００５１】
【図１】本考案の実施形態１における多目的ニット製品１ａを示す斜視図である。
【図２】図１におけるハイゲージ部２とローゲージ部３の部分拡大図である。
【図３】第１実施形態における多目的ニット製品１ａを襟巻として使用した例であり、（ａ）はハイゲージ部２を外側に二折りした例、（ｂ）はハイゲージ部２を外側に一折りした例である。
【図４】第１実施形態における多目的ニット製品１ａをチューブトップとして使用した例である。
【図５】第１実施形態における多目的ニット製品１ａを腹巻として使用した例である。
【図６】第１実施形態における多目的ニット製品１ａをレッグウォーマーとして使用した例である。
【図７】本考案の実施形態１において、ハイゲージ部２に結い紐４と複数のループ５を備えた多目的ニット製品１ａを示す斜視図である。
【図８】第１実施形態における多目的ニット製品１ａを帽子として使用した例であり、（ａ）はローゲージ部３の開口縁部の筒周り全部を外側に折り返した例、（ｂ）はローゲージ部３の開口縁部の筒周り全部を丸めて外側に折り返した例、（ｃ）はローゲージ部３の開口縁部の筒周り後部のみを折り返して前部につばを形成した例である。
【図９】本考案の実施形態１において、ローゲージ部３に結い紐４と複数のループ５を備えた多目的ニット製品１ａを示す斜視図である。
【図１０】第１実施形態における多目的ニット製品１ａをキャミソールとして使用した例である。（ａ）は装着時に前方からみた例、（ｂ）は装着時に後方からみた例である。
【図１１】本考案の実施形態１において、ハイゲージ部２の開口端部から長手方向に沿ってスリットが形成されており、そのスリットには接合手段６であるファスナー７が取り付けられた多目的ニット製品１ａを示す斜視図である。
【図１２】第１実施形態における多目的ニット製品１ａを襟付き襟巻として使用した例である。
【図１３】本考案の実施形態１において、一枚の略長方形状に編成されており、この略長方形状の長手方向の左右両端部分にボタン８およびボタン穴９の接合手段６が設けられ、ボタン８をボタン穴９にかけることによって任意に無底筒状に編成され得る多目的ニット製品１ａを示す斜視図である。
【図１４】第１実施形態における多目的ニット製品１ａを膝掛として使用した例である。（ａ）は二つ折りに小さく畳んだ例、（ｂ）は二つ折りにせずに広げて使用した例である。
【図１５】本考案の実施形態２における多目的ニット製品１ｂを示す斜視図である。
【図１６】第２実施形態における多目的ニット製品１ｂを帽子として使用した例であり、（ａ）は第１ローゲージ部３の開口縁部を一度折り返した例、（ｂ）は後部をさらに外側に折り返して、前部につばを形成した例である。
【図１７】第２実施形態における多目的ニット製品１ｂをチューブトップとして使用した例である。
【図１８】第２実施形態における多目的ニット製品１ｂを腹巻として使用した例であり、（ａ）は第２ローゲージ部３ａをハイゲージ部２に折り重ねた例、（ｂ）はさらに第１ローゲージ３をハイゲージ部２に折り重ね三重にした例である。
【図１９】第２実施形態における多目的ニット製品１ｂをレッグウォーマーとして使用した例である。
【図２０】第２実施形態における多目的ニット製品１ｂをアームウォーマーとして使用した例である。
【図２１】本考案の実施形態２において、第２ローゲージ部３ａに結い紐４と複数のループ５を備えた多目的ニット製品１ｂを示す斜視図である。
【図２２】第２実施形態における多目的ニット製品１ｂをキャミソールとして使用した例である。（ａ）は装着時に前方からみた例、（ｂ）は装着時に後方からみた例である。
【符号の説明】
【００５２】
１ａ  第１実施形態における多目的ニット製品
１ｂ  第２実施形態における多目的ニット製品
２    ハイゲージ部
３    第１ローゲージ部
３ａ  第２ローゲージ部
４    結い紐
５    ループ
６    接合手段
７    ファスナー
８    ボタン
９    ボタン穴
【図１】
0003118840.tif 000003
【図２】
0003118840.tif 000004
【図３】
0003118840.tif 000005
【図４】
0003118840.tif 000006
【図５】
0003118840.tif 000007
【図６】
0003118840.tif 000008
【図７】
0003118840.tif 000009
【図８】
0003118840.tif 000010
【図９】
0003118840.tif 000011
【図１０】
0003118840.tif 000012
【図１１】
0003118840.tif 000013
【図１２】
0003118840.tif 000014
【図１３】
0003118840.tif 000015
【図１４】
0003118840.tif 000016
【図１５】
0003118840.tif 000017
【図１６】
0003118840.tif 000018
【図１７】
0003118840.tif 000019
【図１８】
0003118840.tif 000020
【図１９】
0003118840.tif 000021
【図２０】
0003118840.tif 000022
【図２１】
0003118840.tif 000023
【図２２】
0003118840.tif 000024